(57)【特許請求の範囲】
【請求項１】
記録用紙の幅方向に移動するキャリッジにノズル開口を備えた記録ヘッドを装填し、キャリッジの移動中に前記ノズル開口よりインク滴を吐出して記録用紙に画像を形成するインクジェット式記録装置であって、
前記記録ヘッドによる印字領域外のホームポジションに配置され、キヤリッジがホームポジションに復帰した状態において、前記記録ヘッドに向かって進退可能となるように配置されたキャップフレームと、前記キャップフレームを進退方向に駆動する駆動手段と、前記キャップフレームに所定量だけ進退可能となるように係合し、且つ進退方向に直交する方向に移動可能に設けられると共に、前進したときに前記キャリッジの一部に当接して、前記直交方向の位置が調芯されるガイド突起を有するキャップホルダと、前記キャップフレームが後退したときに前記記録ヘッドに向かってキャップばねを介して前記キャップホルダに付勢した状態で前記キャップホルダに形成された孔に収容され、前記キャップフレームが前進したときに前記ノズル開口を封止するキャップ部材とにより構成され、
前記キャップホルダには複数の貫通孔が設けられ、前記キャップフレ−ムに立設され前記複数の貫通孔にそれぞれ遊嵌する起立柱に、前記キャップホルダの進退量を制限するストッパ面が設けられ、
前記キャップフレームが後退したときに前記キャップばねは前記記録ヘッドに向かって前記キャップ部材を前記キャップホルダに付勢するとともに、前記キャップばねは前記キャップホルダを前記キャップフレームのストッパ面に付勢して当接させることを特徴とするインクジェット式記録装置。
【請求項２】
前記キャップホルダのガイド突起には、前記キャップホルダを調芯する傾斜面が形成され、前記ガイド突起が前記キャリッジの一部と当接したときに前記キャップホルダが前記キャップフレームのストッパ面と当接しなくなることを特徴とする請求項１に記載のインクジェット式記録装置。
【請求項３】
前記貫通孔と起立柱との間には、前記キャップホルダの調芯量より大きい隙間が形成されることを特徴とする請求項２に記載のインクジェット式記録装置。
【請求項４】
前記キャップ部材およびキャップホルダのうちの一方にテーパーピンが立設され、他方には、前記キャップ部材がキャップホルダに当接するときに、前記テーパピンが嵌合するキャップ部材芯出し用のテーパ孔が設けられてなる請求項１乃至請求項３のいずれかに記載のインクジェット式記録装置。
【請求項５】
前記駆動手段は、前記キャップフレームを前進方向に付勢するフロートばねと、前記キャップフレームをフロートばねによる付勢方向とは反対方向に押動するカム面を備えたカム部材とにより構成され、前記フロートばねの付勢力は前記キャップばねの付勢力よりも大きく構成されている請求項１乃至請求項４のいずれかに記載のインクジェット式記録装置。
【発明の詳細な説明】
【０００１】
【発明の属する技術分野】
本発明は、記録用紙の幅方向に移動するインクジェット式記録ヘッドを有し、印刷データに対応してインク滴を記録用紙に吐出することで画像を印刷するインクジェット式記録装置に関し、詳しくは、位置決め手段によりホームポジションに復帰したキャリッジのノズル開口を正確に封止することができるキャッピング装置を備えたインクジェット式記録装置に関する。
【０００２】
【従来の技術】
インクジェット式記録装置は、印刷時の騒音が比較的小さく、しかも小さなドットを高い密度で形成できるため、昨今においてはカラー印刷を含めた多くの印刷に使用されている。このようなインクジェット式記録装置は、インクカートリッジからのインクの供給を受けるインクジェット式記録ヘッドと、記録用紙を記録ヘッドに対して相対的に移動させる紙送り手段とを備え、記録ヘッドをキャリッジ上で記録用紙の幅方向に移動させながら記録用紙に対してインク滴を吐出させることで記録が行われる。
【０００３】
そしてキャリッジ上に、ブラックインクおよびイエロー、シアン、マゼンタの各カラーインクが吐出が可能な記録ヘッドを搭載し、ブラックインクによるテキスト印刷ばかりでなく、各インクの吐出割合を変えることにより、フルカラー印刷を可能としている。
【０００４】
前記したインクジェット式記録ヘッドは、圧力発生室で加圧したインクをノズルからインク滴として記録用紙に吐出させて印刷を行う関係上、ノズル開口からの溶媒の蒸発に起因するインク粘度の上昇や、インクの固化により、また塵埃の付着、さらには気泡の混入などにより、印刷不良を起こすという問題を抱えている。
【０００５】
このために、インクジェット式記録装置には、非印刷時に記録ヘッドのノズル開口を封止するためのキャッピング装置と、必要に応じてノズル形成面を払拭して清掃するワイピング部材を備えている。前記キャッピング装置は、印刷の休止時に前記したノズル開口のインクの乾燥を防止する蓋として機能するだけでなく、ノズル開口に目詰まりが生じた場合には、キャッピング装置によりノズル形成面を封止し、負圧発生手段としての吸引ポンプからの負圧により、ノズル開口からインクを吸引排出させてインク固化によるノズル開口の目詰まりや、インク流路内への気泡混入によるインクの吐出不良を解消する機能をも備えている。
【０００６】
記録ヘッドの目詰まりや、インク流路内への気泡の混入状態を解消させるために行うインクの強制的なインクの吸引排出処理は、クリーニング操作と呼ばれており、これは記録装置の長時間の休止後に印刷を再開する場合や、またユーザが記録画像の品質が悪化したのを認識して、例えばクリーニングスイッチを操作した場合に実行され、記録ヘッドからインクを負圧により吸引排出させた後に、ゴムなどの弾性板により成形されたワイピング部材により記録ヘッドのノズル形成面のワイピング操作を伴う処理である。
【０００７】
また、記録ヘッドに印刷とは関係のない駆動信号を印加してインク滴を吐出させる機能も備えており、これはフラッシング操作と呼ばれており、クリーニング操作に伴うワイピングにより、記録ヘッドのノズル開口近傍に生じた不揃いのメニスカスを回復させたり、またワイピング作用によりノズルから逆流した混色インクを排出させたり、さらに印刷中にインク滴の吐出量の少ないノズル開口において、インクの増粘による目詰まりを防止する目的で一定周期ごとに実行させる操作である。
【０００８】
【発明が解決しようとする課題】
ところで、前記したように従来のインクジェット式記録装置にあっては、記録ヘッドを担持するキャリッジがホームポジションに復帰したときに、キャリッジに押圧されて、あるいはキャッピング装置駆動手段によって、非キャッピング位置（ノズル形成面の非封止位置）からキャッピング位置（ノズル形成面封止位置）へ移動し、キャッピング装置に搭載されたキャップ部材を記録ヘッドのノズル形成面に対してばねによって弾接させることによって、記録ヘッドのノズル開口を封止するようにしている。
【０００９】
しかしながら、ホームポジションに復帰したキャリッジの停止位置には、多少なりともバラツキが発生し、また、キャッピング装置においても多数の部品により組み立てられている関係で、各部品の精度および組み立て精度によってもバラツキが発生する。
【００１０】
このために、キャリッジに搭載された記録ヘッドのノズル形成面と、このノズル形成面に向かって前進するキャップ部材の位置関係にズレが発生する。したがって、キャップ部材の先端部に形成されたシール面がノズル開口の全体を封止できず、ノズル開口の一部がシール面に当接したり、あるいはノズル開口の一部がシール面の外側に外れてノズル開口の全てをキャップ部材によって封止することができないという問題が発生する。
【００１１】
前記した状況においては、クリーニング操作を実行しても一部のノズル開口からはインクの吸引排出が困難となり、即座に印字不良を発生させるという問題が発生する。また記録装置の休止中におけるキャッピング状態において、ノズル開口の一部がキャップ部材から露出してインク溶媒が揮散することにより、当該ノズル開口から記録ヘッド内のインク流路まで固化が進み、多くの場合にはこれを回復させることが困難になるという問題に発展する。
【００１２】
このような問題を避けるために、キャッピング状態において、ノズル形成面とキャップ部材との位置関係を一致させる調芯機構を設けることが好ましいが、この調芯機構は円滑に動作し、且つ調芯作用が確実でなければならず、また構造ができるだけ簡単で安価に提供できるものでなけらばならない。
【００１３】
本発明は、かかる技術的課題に着目してなされたものであり、構造が簡単で円滑な動作を行うことができ、キャップ部材が全てのノズル開口を確実に封止することができるキャッピング手段を備えたインクジェット式記録装置を提供することを目的とするものである。
【００１４】
【課題を解決するための手段】
前記した目的を達成するために成された本発明にかかるインクジェット式記録装置は、記録用紙の幅方向に移動するキャリッジにノズル開口を備えた記録ヘッドを装填し、キャリッジの移動中に前記ノズル開口よりインク滴を吐出して記録用紙に画像を形成するインクジェット式記録装置であって、前記記録ヘッドによる印字領域外のホームポジションに配置され、キヤリッジがホームポジションに復帰した状態において、前記記録ヘッドに向かって進退可能となるように配置されたキャップフレームと、前記キャップフレームを進退方向に駆動する駆動手段と、前記キャップフレームに所定量だけ進退可能となるように係合し、且つ進退方向に直交する方向に移動可能に設けられると共に、前進したときに前記キャリッジの一部に当接して、前記直交方向の位置が調芯されるガイド突起を有するキャップホルダと、前記キャップフレームが後退したときに前記記録ヘッドに向かってキャップばねを介して前記キャップホルダに付勢した状態で前記キャップホルダに形成された孔に収容され、前記キャップフレームが前進したときに前記ノズル開口を封止するキャップ部材とにより構成され、前記キャップホルダには複数の貫通孔が設けられ、前記キャップフレ−ムに立設され前記複数の貫通孔にそれぞれ遊嵌する起立柱に、前記キャップホルダの進退量を制限するストッパ面が設けられ、前記キャップフレームが後退したときに前記キャップばねは前記記録ヘッドに向かって前記キャップ部材を前記キャップホルダに付勢するとともに、前記キャップばねは前記キャップホルダを前記キャップフレームのストッパ面に付勢して当接させる構成とされる。
【００１７】
また、前記キャップホルダのガイド突起には、前記キャップホルダを調芯する傾斜面が形成され、前記ガイド突起が前記キャリッジの一部と当接したときに前記キャップホルダが前記キャップフレームのストッパ面と当接しなくなるのが望ましい。この構成により、位置決めガイドの傾斜面がキャリッジの位置決めガイドに当接すると、この当接力によってキャップホルダを調芯方向に移動させる分力が発生するとともに、キャップホルダはキャップフレームの摩擦抵抗を受けることなく自由に移動可能になり、キャップホルダが円滑に調芯されて、キャップ部材とノズル開口との適切な位置関係を形成することができる。
【００１８】
そして、好ましくは前記貫通孔と起立柱との間には、キャップホルダの調芯量より大きい隙間が形成される。この構成により、キャップホルダの調芯中に貫通孔と起立柱との位置関係の制約を受けることなく円滑に調芯作用が実行される。
【００１９】
さらに、前記キャップ部材およびキャップホルダのうちの一方にテーパーピンを立設し、他方には前記キャップ部材がキャップホルダに当接するときに前記テーパピンが嵌合するキャップ部材芯出し用テーパ孔を設けることが望ましい。
【００２０】
この構成により、付勢部材によりキャップホルダに押しつけられたキャップ部材はキャップホルダに正しく芯出しされる。したがって、この状態でキャップホルダが調芯されると、キャップ部材とノズル開口とが最適な位置関係に設定される。
【００２１】
また、前記駆動手段はキャップフレームを前進方向に付勢するフロートばねと、前記キャップフレームを付勢反対方向に押動するカム面を有するカム部材とにより構成することができ、このとき前記フロートばねの付勢力は前記キャップばねの付勢力より大きくするとよい。この構成により、キャップフレームは円滑に一定の量だけ進退し、前進したときにキャップ部材が適正な圧力を持って記録ヘッドのノズル形成面を封止することができる。
【００２２】
【発明の実施の形態】
以下、本発明にかかるインクジェット式記録装置について、図に示す実施の形態に基づいて説明する。図１は、本発明が適用された記録装置の全体構成を示したものである。符号１はキャリッジを示し、この１キャリッジは駆動モ−タ３によって往復動するタイミングベルト２に連結され、ガイド部材４に案内されてプラテン５の長手方向に沿って往復移動されるように構成されている。
【００２３】
キャリッジ１の記録用紙６と対向する面には、ブラックインクを吐出する記録ヘッド７と、イエロ−、シアン、マゼンダ等の各カラ−インクを吐出する記録ヘッド８，９が設けられ、各記録ヘッド７，８，９はインクカ−トリッジ１０，１１，１２からインクの供給を受けて、ノズル開口から記録用紙６にインク滴を吐出することで、文字やパタ−ンが印刷されるように構成されている。
【００２４】
符号２０は、キャッピング装置であって、後述する記録ヘッド７，８，９のノズル形成面７ａ，８ａ，９ａに接触してノズル開口を密封空間で封止できるサイズのキャップ部材２１，２２，２３を備え、非印字時に記録ヘッド７，８，９のノズル形成面を封止してノズル開口におけるインクの乾燥を防止する機能と、クリーニング動作時に負圧発生手段としての吸引ポンプ１３からの負圧を受けて記録ヘッド７，８，９のノズル開口からインクを強制的に排出させる機能も備えている。
【００２５】
前記キャッピング装置２０の印字領域側の近傍には、必要に応じて記録ヘッド７，８，９のノズル形成面に弾接して、ノズル形成面に付着した紙粉などの塵埃や、インクなどを払拭して除去するゴム等の弾性材料からなるワイピング部材１４が、記録ヘッド７，８，９の移動軌跡上に進退可能となるように配置されている。
【００２６】
次に、図２乃至図８は前記したキャリッジ１の一部とキャッピング装置２０の構成を示したものである。なお、図２はそれぞれを斜視図で示しており、図３はキャリッジ１の底面図であり、また図４はキャッピング装置２０の平面図である。さらに図５は図４におけるＡ−Ａ線を矢印方向に視た状態の断面図であり、図６はキャリッジ１の一部とキャッピング装置２０とを主走査方向に視た側面図である。また、図７は図４におけるＢ−Ｂ線を矢印方向に視た状態の断面図であり、図８は図４におけるＣ−Ｃ線を矢印方向に視た状態の断面図である。
【００２７】
先ず、図２および図３に示すように、キャリッジ１の底面部には記録ヘッド７，８，９が主走査方向に並列状態に配置されており、図５に示すようにこれら各記録ヘッド７，８，９のノズル形成面７ａ，８ａ，９ａには、図には示されていないが多数の微細なノズル開口が列状に形成され、マルチノズル記録ヘッドを構成している。
【００２８】
そして、キャリッジ１の移動方向の両端部には、コ字状に切り欠かれた形態の位置決めガイド１５がそれぞれ形成されている。前記位置決めガイド１５は、キャリッジ１の移動方向である主走査方向における調芯位置の基準となる基準面１５ａと、前記基準面１５ａに直交する記録用紙の搬送方向である副走査方向における調芯位置の基準となる基準面１５ｂとが形成されている。
【００２９】
一方、キャッピング装置２０は、キャリッジ１に向けて前進したときに、記録ヘッドのノズル形成面７ａ，８ａ，９ａを封止するゴム等の可撓性素材により形成されたキャップ部材２１，２２，２３と、各キャップ部材２１，２２，２３を収容するキャップホルダ２４と、キャップホルダ２４の下方に配設され、キャップホルダ２４を保持するキャップフレーム２５と、図５および図７に示すようにキャップフレーム２５とキャップ部材２１，２２，２３との間に弾装される付勢部材（キャップばね）２６，２７，２８とによって構成され、キャップフレーム２５は後述する駆動手段２９によって、前記記録ヘッド７，８，９に向けて所定の範囲で進退できるように構成されている。
【００３０】
前記キャップホルダ２４は、ほぼ長方形に形成された板状体であり、図４に示すようにキャップ部材２１，２２，２３を収容する矩形状の収容孔３０，３１，３２が設けられ、収容孔３０と３１との間、および収容孔３１と３２との間には、矩形状の一対の貫通孔３３がそれぞれ穿設されている。
【００３１】
このキャップホルダ２４の上面における両端部近傍には、前記キャリッジ１に配置された位置決めガイド１５に相対するガイド突起３４が立設されている。このガイド突起３４の先端部には、図４に示すようにキャリッジ１に向けて前進したときに、キャリッジ１側に形成された前記基準面１５ａに滑り接触する７０度程度の傾斜角度をもった傾斜面３４ａと、キャリッジ１側に形成された前記基準面１５ｂに滑り接触する同じく７０度程度の傾斜角度をもった傾斜面３４ｂが形成されている。そして、図７に示すように各収容孔３０，３１，３２における周縁部の下面には複数の柱状の突起３５が設けられ、この突起３５の先端面にはキャップ部材芯出し用テーパ孔３６が設けられている。
【００３２】
一方、キャップ部材２１，２２，２３は同一形状であるため、キャップ部材２１を代表して説明すると、キャップ部材２１は前記したように可撓性のゴム素材により形成されており、図５および図７に示すように、ほぼ長方形状に形成されたベース部材２１ａの周縁部に、上方に突出する環状突起２１ｂが一体に形成されている。
【００３３】
環状突起２１ｂは、記録ヘッド７のノズル形成面に当接したときにノズル開口の周囲に密接して、ノズル開口を封止する空間を形成するものであり、図７に示すようにベース部材２１ａには、負圧発生手段である吸引ポンプ１３に連通する管路３７が開口されている。
【００３４】
前記ベース部材２１ａの周縁部には下方に突出する環状壁２１ｃが設けられ、環状壁２１ｃの下端から水平方向に延びるストッパ壁２１ｄが設けられている。このストッパ壁２１ｄの上面には、キャップ部材芯出し用テーパ孔３６に嵌合するテーパピン３８が立設されており、キャップ部材２１がキャップばね２６によって上方に付勢された場合に、テーパピン３８および芯出し用テーパ孔３６を介してキャップホルダ２４は上方に押圧された状態になされる。
【００３５】
なお、図に示す実施の形態においては、キャップホルダ２４にキャップ部材芯出し用テーパ孔３６を設け、キャップ部材２１にテーパピン３８が設けられているが、実施の形態とは逆にキャップホルダ２４にテーパピン３８を設け、キャップ部材２１にキャップ部材芯出し用テーパ孔３６を設けてもよい。
【００３６】
前記キャップフレーム２５は上方が開口した箱形状であり、図８に示すようにキャップフレーム２５の内底面からキャップホルダ２４に形成された各貫通孔３３に向けてそれぞれ突出する起立柱３９が設けられている。
【００３７】
起立柱３９は、キャップホルダ２４に形成された貫通孔３３にそれぞれ遊嵌し、キャップホルダ２４の貫通孔３３と起立柱３９との間に形成される隙間Ｓは、キャップホルダ２４が横方向に調芯される量よりも大きい寸法となるように構成されている。
【００３８】
前記貫通孔３３を貫通する起立柱３９の先端部には、横方向に延びる係合突起４０が形成されており、係合突起４０の下面に上部ストッパ面４０ａが形成されている。さらにキャップフレーム２５における側壁４１の上端部が下部ストッパ面４１ａを構成している。したがって、キャップホルダ２４は両ストッパ面４０ａ，４１ａの範囲において上下方向に（記録ヘッドの方向に）進退可能となるように構成されている。
【００３９】
前記キャップフレーム２５を記録ヘッドに向けて進退させる駆動手段２９は、図９に示すように、キャップフレーム２５の外底面に形成されたブラケット４２を一端に枢支し、その基端部が記録装置のフレーム４４に枢着された駆動アーム４３と、前記ブラケット４２の底部とフレーム４４との間に配置されたフロートばね４５と、前記駆動アーム４３の中間位置に配置されて、駆動アーム４３をフロートばね４５の付勢方向とは反対方向に押動するカム面４６ａを備えたカム部材４６とにより構成されている。そして、フロートばね４５がキャップフレーム２５を記録ヘッド側に押圧する押圧力は、キャップばね２６，２７，２８の押圧力の総和よりも大きくなる関係になされている。
【００４０】
次に図５乃至図１８に基づいて、キャッピング装置２０の動作について説明する。図５は、フラッシング操作時におけるキャリッジ１に対向するキャッピング装置２０の位置関係を示しており、フラッシング操作時には、キャリッジ１はキャッピング装置２０と対峙したホームポジションに復帰し、各記録ヘッド７，８，９に印刷とは関係のない駆動信号が印加されて、キャップ部材２１，２２，２３に向かってインクが空吐出される。
【００４１】
このフラッシング操作時においては、キャッピング装置２０は図５に示すように、下方の待機位置に後退しているため、ガイド突起３４とノズルプレ−ト７ａ，８ａ，９ａとの間には、若干の隙間が形成され、キャリッジ１の移動の障害にならないように構成されている。
【００４２】
次に、印刷の休止時にノズル開口を封止する、あるいはまた吸引ポンプ１３からの負圧によりノズル開口からインクを吸引排出するためにノズル形成面を封止する、キャッピング動作について説明する。
【００４３】
装置の休止時、あるいはクリ−ニング指令を受けた場合には、キャリッジ１は図５に示すフラッシング操作時と同一の位置に移動してキャッピング装置２０に対峙する。この時、キャップばね２６，２７，２８はキャップ部材２１，２２，２３を介してキャップホルダ２４を押圧しているので、キャップホルダ２４はキャップフレーム２５の上部ストッパ４０ａに当接するまで上方に前進している。
【００４４】
そして、図７に示すように各キャップ部材２１，２２，２３は、テーパピン３８が芯出し用テーパ孔３６に嵌入しているので、キャップホルダ２４の収容孔３０，３１，３２内に偏心することなく正確に位置決めされている。
【００４５】
しかしながら、図５および図６に示すようにキャリッジ１の復帰位置、またはキャッピング装置２０の各部材にバラツキがあるため、記録ヘッド７，８，９の中心位置とキャップ部材２１，２２，２３の中心位置とは必ずしも一致しない。
【００４６】
この状態で図９に示すカム部材４６の回転によって駆動ア−ム４３が上方に傾動されると、フロートばね４４に押圧されているキャッピング装置２０が記録ヘッド側に前進する。これにより、キャップホルダ２４に形成されたガイド突起３４が、キャップ部材１の位置決めガイド１５に挿入される。したがって、ガイド突起３４に形成された各傾斜面３４ａ，３４ｂが位置決めガイド１５に当接しつつキャリッジ側に前進するため、図１０に示すキャップフレーム２５との隙間ｄ1 が図１２に示すように隙間ｄ2 に減少される。
【００４７】
前記したように、キャップホルダ２４とキャップフレーム２５との隙間ｄ1 が隙間ｄ2 に減少することにより、図１３に示すようにキャップフレーム２５に形成された係合突起４０とキャップホルダ２４の上面との間に隙間ｇ（隙間ｇ＝隙間ｄ1 −隙間ｄ2 ）が発生するので、キャップホルダ２４は、キャップフレーム２５の摩擦抵抗を受けることなく自由に横方向に移動可能となる。
【００４８】
したがって、図１４および図１５に示すように、キャップホルダ２４はガイド突起３４が位置決めガイド１５に挿入される過程において、キャップ部材２１，２２，２３の中心位置が記録ヘッド７，８，９の中心位置にそれぞれ一致するように芯出しされる。
【００４９】
さらに、キャッピング装置２０が前進するため、図１６に示すように芯出しされたキャップ部材２１，２２，２３が記録ヘッド７，８，９のノズル形成面に当接してノズル開口を封止する。そして、キャップホルダ２４がほぼキャリッジ１に当接するときに、カム部材４６の回転が停止される結果、図１７および図１８に示すようにキャッピング装置２０の前進は停止し、調芯された状態でキャッピング動作が完了する。
【００５０】
したがって、記録装置の休止時においては、各記録ヘッド７，８，９に形成されたノズル開口の全てを封止状態とし、ノズル開口からのインク溶媒の揮散を阻止するように作用する。また、クリーニング動作時においては、吸引ポンプ１３が駆動され、キャップ部材２１，２２，２３の封止空間が負圧に吸引にされるため、記録ヘッド７，８，９の全てのノズル開口より増粘したインクを吸引排出させることができる。
【００５１】
なお、以上説明した実施の形態においては、キャリッジには３つの記録ヘッドが装填され、またキャップホルダには、これに対応した３つのキャップ部材を備えた例を示したが、前記記録ヘッドおよびキャップ部材は、それぞれ１つまたは２つ、さらに４つ以上の場合においても適用できることは勿論である。
【００５２】
【発明の効果】
以上の説明で明らかなように、本発明にかかるインクジェット式記録装置によると、これに利用されるキャッピング装置は比較的簡素に構成することができ、キャップホルダに配置されたガイド突起がキャリッジ側に当接したときに円滑、且つ確実に調芯作用を実行する。このために、キャップホルダに収容されたキャップ部材は、記録ヘッドに形成された各ノズル開口の全てを確実に封止することができる。これにより、記録装置の休止中におけるキャッピング状態においては、各ノズル開口からのインク溶媒の揮散を効果的に阻止することができ、またクリーニング動作においては、記録ヘッドの全てのノズル開口より増粘したインクを吸引排出させることができる。
【図面の簡単な説明】
【図１】本発明にかかるインクジェット式記録装置の基本構成を示した斜視図である。
【図２】図１に示す記録装置に搭載されたキャッピング装置とキャリッジとを示す斜視図である。
【図３】図２に示したキャリッジの底面図である。
【図４】図２に示したキャッピング装置の平面図である。
【図５】図４におけるＡ−Ａ線を矢印方向に視た状態の断面図である。
【図６】キャリッジの一部とキャッピング装置とを主走査方向に視た側面図である。
【図７】図４におけるＢ−Ｂ線を矢印方向に視た状態の断面図である。
【図８】図４におけるＣ−Ｃ線を矢印方向に視た状態の断面図である。
【図９】キャップホルダを進退させる駆動手段の側面図である。
【図１０】キャップホルダの調芯開始状態を示すキャリッジとキャッピング装置の縦断面図である。
【図１１】図１０に示す状態のキャリッジとキャッピング装置の側面図である。
【図１２】ガイド突起の滑り接触状態を示すキャリッジとキャッピング装置の縦断面図である。
【図１３】キャップホルダが水平向に移動し得る状態を説明する縦断面図である。
【図１４】キャップ部材が調芯された状態を示すキャリッジとキャッピング装置の縦断面図である。
【図１５】図１４に示す状態のキャリッジとキャッピング装置の側面図である。
【図１６】キャップ部材が記録ヘッドを封止した状態を示す縦断面図である。
【図１７】さらにキャッピング装置が前進した状態を示す縦断面図である。
【図１８】図１７に示す状態を直交する方向から視た縦断面図である。
【符号の説明】
１                  キャリッジ
７，８，９          記録ヘッド
７ａ，８ａ，９ａ    ノズルプレ−ト
１５                位置決めガイド
１５ａ，１５ｂ      基準面
２０                キャッピング装置
２１，２２，２３    キャップ部材
２４                キャップホルダ
２５                キャップフレーム
２６，２７，２８    キャップばね
２９                駆動手段
３０，３１，３２    収容孔
３３                貫通孔
３４                ガイド突起
３６                キャップ部材芯出し用テーパ孔
３７                管路
３８                テーパピン
４０ａ              上部ストッパ面
４１ａ              下部ストッパ面
４３                駆動アーム
４５                フロートばね
【図１】
0003918370.tif 000002
【図２】
0003918370.tif 000003
【図３】
0003918370.tif 000004
【図４】
0003918370.tif 000005
【図５】
0003918370.tif 000006
【図６】
0003918370.tif 000007
【図７】
0003918370.tif 000008
【図８】
0003918370.tif 000009
【図９】
0003918370.tif 000010
【図１０】
0003918370.tif 000011
【図１１】
0003918370.tif 000012
【図１２】
0003918370.tif 000013
【図１３】
0003918370.tif 000014
【図１４】
0003918370.tif 000015
【図１５】
0003918370.tif 000016
【図１６】
0003918370.tif 000017
【図１７】
0003918370.tif 000018
【図１８】
0003918370.tif 000019